(57)【要約】【課題】光ピックアップにおいて、バネ部材の数を増やすことなく液晶素子の波面位相の調整精度を高める。【解決手段】光ピックアップは、光ビームを出射するレーザ光出射装置を含む固定部２４と、光記録媒体に光ビームを集光させる対物レンズ１４と、レーザ光出射装置と対物レンズ１４の間に位置し、光ビームの波面位相を調整する液晶素子１１と、液晶素子１１への印加電圧または印加電流を制御する液晶制御素子２６と、を含む可動部２５と、を有している。可動部２５は、固定部２４に対して、光ビームの対物レンズ１４を通る光軸Ｃと実質的に直交する方向に移動可能である。液晶制御素子２６は入力ライン３４によって固定部２５に電気接続され、出力ライン３５によって液晶素子１１に電気接続されており、入力ライン３４の本数は出力ライン３５の本数よりも少ない。【選択図】図２
2011113632.tif 000002
【特許請求の範囲】
【請求項１】
光ビームを出射するレーザ光出射装置を含む固定部と、
光記録媒体に前記光ビームを集光させる対物レンズと、前記レーザ光出射装置と前記対物レンズの間に位置し、前記光ビームの波面位相を調整する液晶素子と、前記液晶素子への印加電圧または印加電流を制御する液晶制御素子と、を含む可動部と、
を有し、
前記可動部は、前記固定部に対して、前記光ビームの前記対物レンズを通る光軸と実質的に直交する方向に移動可能であり、
前記液晶制御素子は入力ラインによって前記固定部に電気接続され、出力ラインによって前記液晶素子に電気接続されており、前記入力ラインの本数は前記出力ラインの本数よりも少ない、光ピックアップ。
【請求項２】
前記可動部は、弾性ワイヤによって前記固定部に対して支持されており、前記弾性ワイヤの一部は前記入力ラインを兼ねる入力ライン兼用ワイヤであり、
前記可動部は、前記対物レンズと、前記液晶素子と、前記液晶制御素子とを収容するハウジングを有し、
前記入力ライン兼用ワイヤは、前記ハウジングの互いに対向する第１及び第２の面の各外面側に少なくとも１本ずつ位置しており、
前記入力ラインは前記液晶制御素子から前記ハウジングの内壁に沿って延び、前記ハウジングの前記第１の面で一部が分岐し該ハウジングの外面側に出て、一部の前記入力ライン兼用ワイヤに接続され、残りの前記入力ラインは前記ハウジングの内壁に沿ってさらに延び、前記ハウジングの前記第２の面で該ハウジングの外面側に出て、残りの前記入力ライン兼用ワイヤに接続されている、請求項１に記載の光ピックアップ。
【請求項３】
前記液晶制御素子は前記ハウジングの前記内壁の近傍に位置し、前記液晶素子の重心は前記可動部の図心に関して前記液晶制御素子の重心とは反対側に位置しており、それによって、前記可動部の移動方向を含む面内において、前記可動部の重心と図心とが一致している、請求項２に記載の光ピックアップ。
【発明の詳細な説明】
【技術分野】
【０００１】
本発明は光ピックアップに関し、特に光ビームの波面位相調整用の液晶素子を制御する液晶制御素子の配置に関する。
【背景技術】
【０００２】
光ピックアップは、光記録媒体の所定の位置に精度よくレーザ光を照射することが要求される。レーザ光の照射精度を高めるためには、光記録媒体に最も近接した位置に設けられた対物レンズの位置を高精度で制御することが必要である。対物レンズの位置は複数のサーボ機構によって常時補正される。トラッキングサーボは対物レンズの横方向（光軸直交方向）位置を制御し、チルトサーボは対物レンズの光記録媒体に対する傾きを制御する。さらに、対物レンズの光軸方向位置はフォーカスサーボによって制御される。このため、対物レンズは可動ハウジングの中に収容され、バネ部材によって、光ピックアップの固定部に対して弾性的に支持される。
【０００３】
近年の光ピックアップは、ＤＶＤ(Digital Versatile Disc)−ＲＯＭ、ＣＤ(Compact Disc)等の仕様の異なる多くの光記録媒体に対応することが求められている。しかし、光記録媒体の信号記録面の記録媒体表面からの深さ位置が光記録媒体によって異なるため、球面収差や波面収差が光記録媒体の種類によって異なるという問題がある。そこで、光記録媒体の種類ごとに、対物レンズに入射する光ビームの波面位相を液晶素子によって最適化し、球面収差や波面収差が最小化されている。液晶素子には制御電圧または制御電流を供給する必要があるため、液晶素子に制御電圧または制御電流を供給する液晶制御素子を固定部に設け、液晶素子と液晶制御素子とが上述のバネ部材で接続されている。
【０００４】
液晶素子における球面収差補正用パターンは一般に同心円状の複数のセグメントに分割され、光ビームの波面位相はセグメント毎に個別に調整される。従って、液晶素子の波面位相の調整精度はセグメント数が多いほど高くなる。しかし、各セグメントには液晶制御素子から個別に制御電圧または制御電流が供給されるため、調整精度を高めようとすると、制御電圧または制御電流の供給手段の数をセグメント数に応じて増やす必要がある。フレキシブル配線基板（以下、ＦＰＣという。）を用いればこの課題は比較的容易に対処可能であるが、ＦＰＣの反力がトラッキングサーボ及びチルトサーボの応答特性に悪影響を与える可能性が高い。そこで、特許文献１には、バネ部材の数を増やし、液晶素子の波面位相の調整精度を高めることが記載されている。
【先行技術文献】
【特許文献】
【０００５】
【特許文献１】特開２００５−４８２６号公報
【発明の概要】
【発明が解決しようとする課題】
【０００６】
バネ部材は可動部そのものではないが、可動部とともに運動する。このため、バネ部材の数が多くなると、（１）バネ部材の重量が相対的に増加し、可動部の動作感度が低下する、（２）可動部の動きの左右対称性や可動部全体の振動特性の制御が困難になる、（３）振動の自由度が増えるため不要な共振が発生する、（４）トラッキングサーボ及びチルトサーボの伝達特性（高周波特性）が悪化する、（５）バネ部材を配置する場所の確保が困難になり、可動部の小型化・軽量化の障害となる、等の課題が生じる。
【０００７】
そこで本願発明は、バネ部材の数を増やすことなく液晶素子の波面位相の調整精度を高めることが可能な光ピックアップを提供することを目的とする。
【課題を解決するための手段】
【０００８】
本発明の一実施態様によれば、光ピックアップは、光ビームを出射するレーザ光出射装置を含む固定部と、光記録媒体に光ビームを集光させる対物レンズと、レーザ光出射装置と対物レンズの間に位置し、光ビームの波面位相を調整する液晶素子と、液晶素子への印加電圧または印加電流を制御する液晶制御素子と、を含む可動部と、を有している。可動部は、固定部に対して、光ビームの対物レンズを通る光軸と実質的に直交する方向に移動可能である。液晶制御素子は入力ラインによって固定部に電気接続され、出力ラインによって液晶素子に電気接続されており、入力ラインの本数は出力ラインの本数よりも少ない。
【０００９】
液晶制御素子は従来固定部に設けられていたため、液晶制御素子の出力ラインと液晶素子がバネ部材を介して接続されていた。しかし、液晶制御素子の出力ラインは液晶素子の各セグメントに１対１に対応しているため、セグメント数が増えれば出力ラインの本数も増える。これに対して、液晶制御素子の入力ラインの本数はセグメント数と１対１に対応していない。本実施態様では、液晶制御素子を可動部に収容し、かつ液晶制御素子の入力ラインの本数が出力ラインの本数よりも少ないため、従来と比べて固定部と可動部をつなぐラインの総本数を減らすことができる。換言すれば、固定部と可動部をつなぐラインの総本数が同じであれば、バネ部材を増やすことなく、液晶制御素子の出力ラインの数を増やすことが可能となる。なお、一般に、デジタル情報をＩＣに送る液晶駆動方式であれば、液晶素子用ドライバＩＣの入力ラインの本数は５本である場合が多く、液晶素子のセグメントが多くなるほど出力ラインを増やす必要がある。
【発明の効果】
【００１０】
以上説明したように、本願発明によれば、バネ部材の数を増やすことなく液晶素子の波面位相の調整精度を高めることが可能な光ピックアップを提供することができる。
【図面の簡単な説明】
【００１１】
【図１】光ピックアップの光学系の構成を示す概略図である。
【図２】図１に示す光ピックアップの模式的斜視図である。
【図３Ａ】ＦＰＣの全体形状を示す模式図である。
【図３Ｂ】ＦＰＣの一部が折り曲げられた状態を示す模式図である。
【図３Ｃ】ＦＰＣの全部が折り曲げられた状態を示す模式図である。
【図３Ｄ】ＦＰＣがハウジングに挿入された状態を示す模式図である。
【図３Ｅ】可動部の組立てが終了した状態を示す模式図である。
【発明を実施するための形態】
【００１２】
以下、図面を参照して本発明の光ピックアップの実施形態について説明する。図１は、光ピックアップの光学系の構成を示す概略図である。光ピックアップ１は、物理的トラックピッチが異なる３種類の光記録媒体２（２ａ〜２ｃ）のそれぞれにデジタル情報の記録または再生を行うことができるように構成されている。
【００１３】
第１の光記録媒体２ａは、現行のＤＶＤ−ＲＯＭ、ＤＶＤ±Ｒ／ＲＷ及びこれらと同等の構造及び記憶容量を備えた光記録媒体である。第２の光記録媒体２ｂは、ＣＤ−ＲＯＭ、ＣＤ−Ｒ／ＲＷ及びこれらと同等の構造及び記憶容量を備えた光記録媒体である。第３の光記録媒体２ｃは波長４０５ｎｍ付近の青色レーザ光を用いて高記録密度の記録再生を行うＢＤ（ブルーレイディスク（登録商標））あるいはＣＢ−ＨＤ（中国高密度光記録媒体規格）などの再生専用または記録・再生兼用の光記録媒体である。
【００１４】
光ピックアップ１は、所定波長の光ビームを出射する光源（レーザ光出射装置）である半導体レーザ３，４を有している。半導体レーザ３は、現行のＤＶＤを記録再生するための波長６５０ｎｍの光ビーム（第１の光ビーム）を発光する第１の発光領域と、ＣＤを記録再生するための波長７８０ｎｍの光ビーム（第２の光ビーム）を発光する第２の発光領域と、を有している。これらの発光領域は所定距離を隔てて形成され、１つのパッケージに収容されている。一方、半導体レーザ４は、ＢＤまたはＣＢ−ＨＤなどの高密度光記録媒体を記録再生するための波長４０５ｎｍの光ビーム（第３の光ビーム）を発光する。
【００１５】
半導体レーザ３，４は、半導体レーザ３から出射された第１または第２の光ビームの光軸と、半導体レーザ４から出射された第３の光ビームの光軸とが互いに直交するように設けられている。
【００１６】
半導体レーザ３の光出射側の所定位置には、回折格子５が配置されている。回折格子５の片面には、半導体レーザ３から出射された第１及び第２の光ビームをそれぞれ３本の光ビーム（０次の主ビームと±１次の副ビーム；図示せず）に分割するように最適化された回折格子パターンが形成されている。回折格子５は、光記録媒体２の信号記録面において、主ビームの集光位置を中心にトラック線方向に所定距離隔てた対称位置に±１次の副ビームが集光されるように、半導体レーザ３から出射された第１及び第２の光ビームをそれぞれ分割する。
【００１７】
半導体レーザ４の光出射側の所定位置にも、回折格子６が配置されている。回折格子６の片面には、半導体レーザ４から出射された第３の光ビームを３本の光ビーム（０次の主ビームと±１次の副ビーム；図示せず）に分割するように最適化された回折格子パターンが形成されている。回折格子６は、光記録媒体２の信号記録面において、主ビームの集光位置を中心にトラック線方向に所定距離隔てた対称位置に±１次の副ビームが集光されるように、半導体レーザ４から出射された第３の光ビームを分割する。
【００１８】
半導体レーザ３からの光ビームと半導体レーザ４からの光ビームとが交差する位置には、ほぼ立方体形状のダイクロイックプリズム７が設けられている。ダイクロイックプリズム７は、第１及び第２の光ビームをほぼ全通過させ、第３の光ビームをほぼ全反射させる。
【００１９】
ダイクロイックプリズム７を通過または反射した光ビームは偏光ビームスプリッタ８に入射する。偏光ビームスプリッタ８に入射した光ビームの９０％程度は偏光ビームスプリッタ８で反射し、立ち上げミラー９に入射する。偏光ビームスプリッタ８に入射した光ビームの残りの１０％程度は通過して、フロントモニタ用光検出器１５に入射する。フロントモニタ用光検出器１５は、半導体レーザ３，４から出射された第１〜第３の光ビームの光強度を計測する。半導体レーザ３，４の出力は、フロントモニタ用光検出器１５の出力に基づいて調整される。
【００２０】
立ち上げミラー９に入射した光ビームは、立ち上げミラー９で反射し、コリメートレンズ１０に入射する。光ビームは、半導体レーザ３，４を出射した後コリメートレンズ１０に入射するまでは発散ビームであるが、コリメートレンズ１０によって、概ね平行ビーム光に変換させられる。すなわち、コリメートレンズ１０は半導体レーザ３，４と対物レンズ１４との間の光路上に配置され、光ビームの平行度を変換する平行度変換レンズである。
【００２１】
コリメートレンズ１０を通過した光ビームは、液晶素子１１に入射する。液晶素子１１は半導体レーザ３，４と対物レンズ１４との間に位置し、光ビームの波面位相を調整する。液晶素子１１は、所定の形状に分割された透明電極（図示せず）を備え、分割されたセグメントごとに、液晶制御素子２６から制御電圧または制御電流が印加される。液晶素子１１の各セグメントに電圧または電流が印加されると、当該セグメントの屈折率が変化し、通過する光ビームに適切な位相差が与えられ、光路上に生じる各種の波面収差を補正および最適化することができる。透明電極は、例えば、錫ドープ酸化インジウム（ＩＴＯ：Indium Tin Oxide）や酸化錫等からなっている。
【００２２】
液晶素子１１は好ましくは、光軸Ｃに対して若干傾いて配置されている。液晶素子１１の素子表面を光軸Ｃに対して完全に直交する向きに配置すると、素子表面からの反射光の一部が迷光となって、受光素子１７に入射し、ノイズや、出力電気信号のオフセットの原因となる。この現象を防止するため、液晶素子１１を光軸Ｃに対して若干傾けて配置し、迷光が受光素子１７に入射しないようにすることが望ましい。
【００２３】
液晶素子１１を通過した光ビームは４分の１波長板１２に入射し、光ビームの主ビーム及び±１次の副ビーム（以下、「往路光ビーム」という。）が直線偏光から円偏光に変換させられる。本例における４分の１波長板１２は液晶素子１１と一体化された複合素子で、印加電圧の制御により３種の波長に対応させて位相差を制御できる能動型の素子であるが、４分の１波長板１２を３波長共用の受動型として、液晶素子１１から分離して設けられてもよい。
【００２４】
４分の１波長板１２に隣接して、波長互換素子１３が設けられている。波長互換素子１３は、使用する光源の波長に応じた特定のレンズパワーを有し、対物レンズ１４への入射光の波面（角度）を変化させ、対物レンズ１４の倍率を変換する。
【００２５】
波長互換素子１３を通過した光ビームは対物レンズ１４に入射し、光記録媒体２の信号記録面に集光される。記録時には、集光された光ビームが信号記録面の所定のビットに記録を書き込み、記録動作が終了する。
【００２６】
再生時には、光記録媒体２に集光された光ビームは信号記録面で反射し、逆方向にさらに進行する。まず、光記録媒体２で反射した光ビームは、対物レンズ１４で略平行ビームに変換させられる。光ビームは引き続き波長互換素子１３を通って４分の１波長板１２に入射し、円偏光から往路光ビームの偏光方位と直交する方向の直線偏光に変換させられる。４分の１波長板１２を通過した光ビームは液晶素子１１を通ってコリメートレンズ１０に入射し、収束ビームに変換させられる。コリメートレンズ１０を通過した光ビームは立ち上げミラー９で反射し、偏光ビームスプリッタ８に入射する。偏光ビームスプリッタ８は、コリメートレンズ１０からの戻り光を内部の接合面で通過させて、アナモフィックレンズ１６に入射させる。アナモフィックレンズ１６は、偏光ビームスプリッタ８から入射した光ビームに焦点ずれ誤差検出のための非点収差を与え、受光素子１７上に結像させる。受光素子１７は、受光した光ビームを分割された受光領域（図示せず）毎に独立に光電変換して、電気信号を出力する。
【００２７】
図２は、光ピックアップの概念的な斜視図である。ハウジング２１は、液晶素子１１、４分の１波長板１２、波長互換素子１３、対物レンズ１４、及び液晶制御素子２６を収容し、これらの収容物とともに可動部２５を構成している。同図では、液晶素子１１、４分の１波長板１２、波長互換素子１３及び液晶制御素子２６をハウジング２１から取り出した状態で示している。半導体レーザ３，４を含む光ピックアップのその他の要素は固定部２４を構成している。
【００２８】
可動部２５は、弾性ワイヤ３１によって固定部２４に対して支持されている。弾性ワイヤ３１はハウジング２１の互いに対向する第１の面３２及び第２の面３３の各外面側に５本ずつ設けられている。各面３２，３３に設けられた５本の弾性ワイヤ３１のうち、２本は相対的に太径で剛性が高い主弾性ワイヤ３１ａであり、可動部２５は主に主弾性ワイヤ３１ａによって支持されている。
【００２９】
図１を参照すると、対物レンズ１４の周囲には、トラッキングサーボのためのトラッキングコイル２３と、チルトサーボのためのチルトコイル２２が設けられている。各コイル２２，２３と対向した位置にはマグネット（図示せず）が設けられている。コイル２２，２３に通電することによって、マグネットとコイル２２，２３を流れる電流との間に磁気的作用（ローレンツ力）が生じ、この力によって可動部２５は所望の方向に移動することができる。この結果、図２に示すように、可動部２５は、トラッキングサーボによって、固定部２４に対し、対物レンズを通る光軸Ｃと実質的に直交する方向に移動可能であり（矢印Ａ）、チルトサーボによって、記録媒体２の法線方向に対してチルト可能である（矢印Ｂ）。主弾性ワイヤ３１ａは、チルトコイル２２及びトラッキングコイル２３に給電する導体の機能を兼ねている。
【００３０】
各面３２，３３に設けられた５本の弾性ワイヤ３１のうち、残りの３本は相対的に細径で剛性の小さいワイヤであり、液晶制御素子２６への入力ライン３４を兼ねている（以下、入力ライン兼用ワイヤ３１ｂという。）。本実施形態では入力ラインは計５本であるため、入力ライン兼用ワイヤ３１ｂの１本は予備である。しかし、各面３２，３３に入力ライン兼用ワイヤ３１ｂを３本ずつ設けることによって、可動部２５の動きの左右対称性が容易に確保できる。同様の目的から、各面３２，３３には、５本の弾性ワイヤ３１が対称の位置に設けられていることが望ましい。
【００３１】
入力ライン兼用ワイヤ３１ｂは後述するように、ＦＰＣ３６に設けられたタブ３８ａ，３８ｂを介して、可動部２５に取り付けられている。タブ３８ａ，３８ｂは主弾性ワイヤ３１ａの取り付けや作動に干渉しない位置に設けられている。
【００３２】
弾性ワイヤ３１の本数や剛性は本実施形態に限定されず、入力ラインの本数、所望のサーボ特性などを勘案し、適宜定めることができる。
【００３３】
液晶制御素子２６は、入力ライン３４及び入力ライン兼用ワイヤ３１ｂを介して固定部２４に電気接続され、出力ライン３５を介して液晶素子１１に電気接続されている。入力ライン３４の本数は出力ライン３５の本数よりも少なく、本実施形態では入力ライン３４が５本であるのに対し、出力ライン３５は１４本である。一般に液晶制御素子は、入力ラインを介して外部から受け取る入力信号を基に、液晶素子の各セグメントに対する制御電圧あるいは制御電流を個別に生成する機能を有しており、セグメント数が増えても入力ラインの本数がそれに応じて増えることはない。このため、液晶制御素子２６を可動部２５に設置することによって、液晶制御素子２６を固定部２４に設置する場合と比べて、可動部２５と固定部２４を結ぶラインの本数を削減することができる。
【００３４】
例えば、本実施形態の場合、液晶素子１１の制御用のラインは、可動部２５と固定部２４の間には５本あればよいが、液晶制御素子２６を固定部２４に設置する場合、可動部２５と固定部２４の間には１４本のラインが必要となる。これは、入力ライン兼用ワイヤ３１ｂが最低１４本必要であることを意味し、可動部２５の動作特性等に与える影響は無視できない。これに対して、本実施形態では、入力ライン兼用ワイヤ３１ｂが最低５本（実際には６本）で済むため、可動部２５の動作特性等に与える影響は限定的である。
【００３５】
液晶制御素子２６はハウジング２１の内壁の近傍に位置し（実際にはハウジング２１の内壁に沿って延びるＦＰＣ３６上に固定されている。）、液晶素子１１の重心は可動部２５の図心に関して液晶制御素子２６とは反対側に位置している。それによって、可動部２５の移動方向を含む面内において、可動部２５の重心と図心とを一致させることが可能となり、可動部２５に望ましくない動き（例えば、トラッキングサーボ作動時にチルト成分を有する動きが発生するなど。）が発生することを防止できる。
【００３６】
図３Ａ〜３Ｅは入力ライン及び出力ラインの具体的構成を示す模式図である。入力ライン３４及び出力ライン３５としては、ＦＰＣなどの可撓性のある公知の配線手段を用いることができる。
【００３７】
図３Ａは、ＦＰＣ３６を広げたときの外形図であり、図中に示す矢印Ｙは、矢印の向きに従って山折りされることを、矢印Ｔは谷折りされることを示している。液晶制御素子２６がＦＰＣ３６の一端側に固定されており、そこから帯状部３７が左に延びている。帯状部３７の途中には第１のタブ３８ａが設けられ、帯状部３７の終端には第２のタブ３８ｂが設けられている。第１及び第２のタブ３８ａ，３８ｂには、入力ライン兼用ワイヤ３１ｂと接続されるパッド３９が各々３箇所形成されている（６つのパッド３９のうち１つは予備パッド。）。図示は省略するが、ＦＰＣ３６の内部には、液晶制御素子２６の設けられている付近から第１のタブ３８ａに向かって３本、及び第２のタブ３８ｂに向かって２本、合計５本の入力ライン３４が埋め込まれている。従って、液晶制御素子２６はこれらのタブ３８ａ，３８ｂを介して、固定部２４に設けられた電源部（図示せず）から入力電圧または入力電流の供給を受けることができる。
【００３８】
図３Ｂは、液晶制御素子２６の設けられている方のＦＰＣ３６の端部を図３Ａに示す矢印の向きに従って折り、液晶素子１１を挟持した状態を示している。図示の都合上、図中Ａ部付近で帯状部３７が９０度手前側に捩られていることに留意されたい。ＦＰＣ３６の右側の端部には第３のタブ３８ｃと第４のタブ３８ｄが設けられており（図３Ａも参照。）、これらが液晶素子１１を両側から挟持している。図示は省略するが、ＦＰＣ３６の内部には、液晶制御素子２６の設けられている付近から第３のタブ３８ｃ及び／または第４のタブ３８ｄに向かって計１４本の出力ライン３５が埋め込まれている。従って、液晶素子１１はこれらのタブ３８ｃ、３８ｄを介して、液晶制御素子２６から印加電圧または印加電流の供給を受けることができる。
【００３９】
図３Ｃは、帯状部３７を四角形に折りたたんだ状況を示している。図３Ｄは折りたたんだＦＰＣ３６をハウジング２１の中に挿入した状態を示している。ＦＰＣ３６はハウジング２１の内壁に接着剤などの適宜の方法で固着されている。図３Ｄではハウジング２１は単純な箱形状に模式化して示しており、実際の形状とは異なることに留意されたい。
【００４０】
図３Ａ〜３Ｄから明らかなように、ＦＰＣ３６に埋め込まれた入力ライン３４は液晶制御素子２６からハウジング２１の内壁に沿って延び、ハウジング２１の第１の面３２で一部が分岐しハウジング２１の外面側に出て、入力ライン兼用ワイヤ３１ａに接続され、残りの入力ライン３４はハウジング２１の内壁に沿ってさらに延び、ハウジング２１の第２の面３３でハウジング２１の外面側に出て、残りの入力ライン兼用ワイヤ３１ｂに接続される。なお、図３Ｄからわかるように、液晶素子１１はハウジング２１の互いに対向する長辺の間に橋渡しするように設けられているため、構造的に弱いハウジング２１の長辺部を補強し、ハウジング２１の部分的な共振を抑制することができる。
【００４１】
図３Ｅは、可動部２５が組み立てられたときの状況を示している。弾性ワイヤ３１は第１の面３２に設けられた弾性ワイヤのみを図示している。第１及び第２のタブ３８ａ，３８ｂは、図３Ｄに示すハウジング２１の外側に折り曲げられ状態から、さらに９０度同じ方向に折り曲げられて、ハウジング２１の外面に固定されている（第２のタブ３８ｂの図示は省略。）。これによって、第１及び第２のタブ３８ａ，３８ｂに設けられているパッド３９がハウジング２１の外面に沿って位置し、入力ライン兼用ワイヤ３１ｂが接続可能となる。
【００４２】
以上説明したように、本実施形態によれば、液晶制御素子２６を可動部２５に設置したため、可動部２５と固定部２４を接続するラインの本数が液晶制御素子２６の入力ラインの本数に依存して決まる。一般に液晶制御素子の入力ラインは出力ラインよりも本数が少ないため、その分、弾性ワイヤの本数も少なくて済む。このため、弾性ワイヤの拘束による可動部の動作特性の悪化を防止し、小型・軽量化に対する障害も除去することができる。
【符号の説明】
【００４３】
１  光ピックアップ
２  光記録媒体
３，４  半導体レーザ
１１  液晶素子
１２  ４分の１波長板
１３  波長互換素子
１４  対物レンズ
２１  ハウジング
２２  チルトコイル
２３  トラッキングコイル
２４  固定部
２５  可動部
２６  液晶制御素子
３１  弾性ワイヤ
３１ａ  主弾性ワイヤ
３１ｂ  入力ライン兼用ワイヤ
３２  第１の面
３３  第２の面
３４  入力ライン
３５  出力ライン
３６  ＦＰＣ
３７  帯状部
３８ａ〜３８ｄ  第１〜第４のタブ
３９  パッド
Ｃ  レーザ光の光軸
【図１】
2011113632.tif 000003
【図２】
2011113632.tif 000004
【図３Ａ】
2011113632.tif 000005
【図３Ｂ】
2011113632.tif 000006
【図３Ｃ】
2011113632.tif 000007
【図３Ｄ】
2011113632.tif 000008
【図３Ｅ】
2011113632.tif 000009